(57)【要約】【課題】  操作が平滑な高い防水防塵性能の単極双投型のトリガスイッチを提供する。【解決手段】  可動接片操作部１２の頭部を球状の頭部１２０に構成し、防水防塵パッキング中心部に可動接片操作部１２を圧入した状態とすると共に防水防塵パッキングのスカートをボックス、カバーで狭持し、可動接片支点本体５２はその一方の端部においてタブ端子５１と逆向きに屈曲すると共に水平方向に延伸して形成された支持部５２１を構成し、支持部５２１の先端部近傍上側に１対の位置決め突起５２２を上向きに突出形成した可動接片支持部材５を具備し、可動接片部材として、先端部に可動接点を有する１対の可動接片の形状構造を含む可動接片部材全体の形状構造を、両可動接片が駆動される共通面に直交する面に関して面対称に構成した可動接片部材を組み合わせ使用する単極双投型のスイッチとしたトリガスイッチ。【選択図】  図１
2006277998.tif 000002
【特許請求の範囲】
【請求項１】
肉厚開口部に圧し付け段部が形成されると共に相互係合凹部を側壁外側下方に形成される上側ボックス を具備し、
互いに対向する一方の側壁に立ち下がり係合片係合凹部が形成されると共に互いに対向する他方の側壁外側下方に相互結合突起を形成し、上側ボックスに嵌合固定される下側ボックスを具備し、下側ボックスの底壁には挿通スリットの対を２対形成し、
タブ端子およびタブ端子から屈曲形成された固定接点固定部を有する固定接点固定部材を２個具備し、
タブ端子、タブ端子から屈曲形成された可動接片支点本体、可動接片支点本体からタブ端子と同じ向きに屈曲形成された垂下部片を有し、可動接片支点本体はその一方の端部においてタブ端子と逆向きに屈曲すると共に水平方向に延伸して形成された支持部を構成し、支持部の先端部近傍上側に１対の位置決め突起を上向きに突出形成した可動接片支持部材を具備し、
可動接片の１対を、可動接片部材の中心部から一体にその駆動される共通面内において当該共通面に直交する軸を軸としてＵ字状に屈曲して構成し、駆動舌片の１対を、それぞれ、可動接片部材の中心部から一体に先の共通面に直交する軸を軸としてＵ字状に折り返し屈曲して構成し、その先端部を接片駆動部材係合孔を形成した係合凹部とし、可動接片部材の中心部には共通面に直交する軸の方向に可動接片部材支持溝を形成した可動接片部材を具備し、
頭部と、結合部嵌合孔を有する嵌合部と、嵌合部から延伸して一体に形成された１対の操作部先端とより成る可動接片操作部を具備し、
上側ボックスの水平方向横断面形状寸法にほぼ匹敵して下側ボックスの開口を覆う形状寸法に形成される平坦本体部を有し、平坦本体部の対向する２辺には立ち下がり係合片および立ち上がり部が形成されると共にその中心部には可動接片操作部を挿通する挿通開口が開口される隆起筒部が形成されるカバーを具備し、
上側ボックスの水平方向横断面形状寸法にほぼ匹敵する形状寸法に形成される水平封止部と水平封止部の中心部から一体に隆起形成された筒状封止部とより成り、筒状封止部の頂部には中心部が開口して開口周縁が鍔部を形成している有底円筒を有する防水防塵パッキングを具備し、
一方の対の挿通スリットの双方に対して、それぞれ固定接点固定部材のタブ端子を挿通して固定接点固定部材を下側ボックスの底壁に取り付け固定し、
対向する他方の対の挿通スリットの一方にタブ端子を挿通し、ここで、タブ端子と逆向きに屈曲すると共に水平方向に延伸して形成された支持部の先端部を先の両固定接点固定部材の中間部に位置決めした状態で、可動接片支持部材を下側ボックスの底壁に取り付け固定し、
可動接片部材を、可動接片支持部材の１対の位置決め突起に、可動接片部材支持溝を介して嵌合して位置決め載置し、
防水防塵パッキングの有底円筒の開口に、可動接片操作部の嵌合部を圧入し、結合部嵌合孔に頭部を嵌合結合することにより、防水防塵パッキングと可動接片操作部を相互に結合一体化し、
可動接片操作部と相互に結合一体化された防水防塵パッキングの可動接片操作部を、カバーの挿通開口を介して挿通し、可動接片操作部の操作部先端を駆動舌片の先端部に形成した係合凹部に係合した状態で、カバー７に防水防塵パッキングを重ね合わせ、
肉厚開口部の圧し付け段部とカバーの平坦本体部とにより防水防塵パッキングの水平封止部を挟持し、
可動接片操作部の頭部に操作桿の係合凹部を嵌合し、操作桿を下向きに押圧しながら案内溝を操作桿に整列した状態で、操作桿保持枠を上側ボックスに圧し下げ嵌合したことを特徴とするトリガスイッチ。
【発明の詳細な説明】
【技術分野】
【０００１】
この発明は、トリガスイッチに関し、特に、可動接片操作部の頭部を球状頭部に形成し、防水防塵パッキング中心部の開口に可動接片操作部の嵌合部１２３を圧入すると共に防水防塵パッキングのスカートをボックスおよびカバーで狭持し、このスイッチに図２に図示される可動接片部材を組み合わせ使用することにより、高い防水防塵性能を発揮する上に操作桿の操作が平滑で急速な摺動が実現される単極双投型のトリガスイッチに関する。
【背景技術】
【０００２】
トリガスイッチの従来例を図を参照して説明する。
図４を参照してトリガスイッチの上側ボックスを説明する。図４（ａ）は上側ボックスを上から視たところを示す図、図４（ｂ）は上側ボックスを側方から視たところを示す図、図４（ｃ）は上側ボックスを下から視たところを示す図、図４（ｄ）は図４（ａ）における線ｄ−ｄ’に沿った断面を示す図、図４（ｅ）は図４（ａ）における線ｅ−ｅ’に沿った断面を示す図である。
図４において、２U は上側ボックス全体を示す。２２は上側ボックス２U の肉厚開口部を示す。肉厚開口部２２の下端部には圧し付け段部２２１および立ち上がり部嵌合溝２２２、保持枠嵌合段部２２３が形成されている。２９’は相互係合凹部であり、後で説明される相互結合突起２９を嵌合せしめるところである。上側ボックス２U の上側には、隣接する２壁を欠いた構造の操作桿保持枠８が上から嵌合される。操作桿保持枠８には、案内溝８１が形成されている。この案内溝８１と上側ボックス２U の上面との間により操作桿９を摺動案内する案内部が構成される。
【０００３】
図５を参照してトリガスイッチの下側ボックスを説明する。図５（ａ）は下側ボックスを上から視たところを示す図、図５（ｂ）は下側ボックスを下から視たところを示す図、図５（ｃ）は図５（ａ）における線ｃ−ｃ’に沿った断面を示す図、図５（ｄ）は図５（ａ）における線ｄ−ｄ’に沿った断面を示す図である。
図５において、２L は下側ボックス全体を示す。２０は上側ボックス２L の互いに対向する一方の側壁に形成される立ち下がり係合片係合凹部である。２７は底壁に形成される挿通スリット、２８は同様に底壁に形成される挿通スリットである。２９は相互結合突起であり、上側ボックス２U と下側ボックス２L とを組み合わせて結合するに際して、上側ボックス２U の側壁に形成される相互係合凹部段部に嵌合結合する部材である。
【０００４】
図６はカバーを説明する図である。図６において、７はカバー全体を示す参照符合である。カバー７は平坦本体部７０を有する。平坦本体部７０の形状寸法は、上側ボックス２U の水平方向横断面形状寸法にほぼ匹敵して、下側ボックス２L の開口を覆う形状寸法に形成される。平坦本体部７０の対向する２辺には、立ち下がり係合片７２が形成されると共に、立ち上がり部７３が形成されている。平坦本体部７０は、更に、その中心部に可動接片操作部１２を挿通する隆起筒部７１が形成されている。７１１は隆起筒部７１の上端部に形成される挿通開口である。
【０００５】
図７は防水防塵パッキングを説明する図である。図７において、６は防水防塵パッキング全体を示す参照符合である。防水防塵パッキング６は、水平封止部６１と、水平封止部６１の中心部から一体に隆起形成された筒状封止部６２より成る。筒状封止部６２の頂部には底を有する有底円筒６２１が形成され、有底円筒６２１の底はその中心部が開口６２２して開口周縁は鍔部６２３を形成している。有底円筒６２１の内径は可動接片操作部１２の嵌合部１２３上端の外径にほぼ等しく形成される。
【０００６】
図８を参照して可動接片を説明する。図８（ａ）は可動接片を正面から視た図であり、図８（ｂ）は可動接片を側方から視た図であり、図８（ｃ）は可動接片を後方から視た図であり、図８（ｄ）は図（ｂ）を下から視た図である。
図８において、３は可動接片の全体を示す。可動接片３は燐青銅の如きバネ性を有するバネ材の細長片をＵ字状に折り返して形成される。３１は可動接点である。３２は先端部に可動接点３１を取り付け固定した可動接点担持片である。可動接点担持片３２は中間部の両側部に切り欠き３２１が形成されている。３３は可動接点担持片３２からＵ字状に折り返し形成された操作部案内片である。操作部案内片３３は変曲部３３１において、外向きに極く僅かに屈曲せしめられている。
【０００７】
図９は固定接点固定部材を説明する図であり、図９（ａ）は固定接点固定部材を上から視た図、図９（ｂ）は固定接点固定部材を側方から視た図、そして図９（ｃ）は図９（ｂ）における線ｃ−ｃ’に沿った断面を示す図である。
図９において、４は固定接点固定部材の全体を示す。固定接点固定部材４は厚さを厚くして剛性の大なる金属細長片をコ字状に屈曲して、タブ端子４２、タブ端子４２から屈曲形成された固定接点固定部４３、固定接点固定部４３から屈曲形成された垂下部片４４より成る。４１により示される固定接点は固定接点固定部４３に取り付け固定されている。タブ端子４２にはその中間部の僅か上方の左右両縁に固定接片カシメ付け片４２１が突出形成されている。
【０００８】
図１０は可動接片支持部材の従来例を説明する図であり、図１０（ａ）は可動接片支持部材を上から視た図、図１０（ｂ）は可動接片支持部材を側方から視た図、図１０（ｃ）は図１０（ｂ）における線ｃ−ｃ’に沿った断面を示す図である。
図１０において、５は可動接片支持部材の全体を示す。可動接片支持部材５も、厚さを厚くして剛性の大なる金属細長片を原材料とし、これに金属加工を施して形成されたタブ端子５１、タブ端子５１から屈曲形成された可動接片支点本体５２、可動接片支点本体５２からタブ端子５１と同じ向きに屈曲形成された垂下部片５３より成る。タブ端子５１にはその中間部の僅か上方の左右両縁に可動接片支持部材カシメ付け片５１１が突出形成されている。可動接片支点本体５２はその一方の端部においてタブ端子５１と逆向きに屈曲形成された支持部５２１を構成している。支持部５２１の上端に水平の切り欠き５２０を形成し、可動接片３が載置された暁において可動接点３１が突出する側に傾斜面５２２を削除形成して可動接片支持突条部５２３を形成すると共に左右端部に案内突起５２４を残存形成する。
【０００９】
図１１は可動接片操作部を説明する図である。可動接片操作部１２は、頭部１２０と、嵌合部１２３と、この嵌合部１２３から延伸して一体に形成された１対の操作部先端１２５とより成る。嵌合部１２３には結合部嵌合孔１２４が形成され、これに頭部１２０が嵌合結合される。可動接片操作部１２は、後で説明される操作桿９を摺動操作することにより駆動され、操作部先端１２５を介して可動接片３を切り替える部材である。
【００１０】
図１２に示される組み立てられた状態のトリガスイッチを参照してトリガスイッチの組み立て順序を簡単に説明する。
（工程１）  下側ボックス２L の底壁に対して固定接点固定部材４および可動接片支持部材５を取り付け、可動接片支持部材５に対して可動接片３を揺動状態に組み付けてスイッチング部を構成する。
（工程２）  下側ボックス２L の開口端縁にカバー７を係合固定する。これに際して、下側ボックス２L の立ち下がり係合片係合凹部２０対して、カバー７の平坦本体部７０の対向する２辺に形成される立ち下がり係合片７２を係合する。
（工程３）  防水防塵パッキング６の有底円筒６２１の開口６２２に対して可動接片操作部１２の嵌合部１２３を圧入し、その結合部嵌合孔１２４に頭部１２０の下部を固定することにより、防水防塵パッキング６と可動接片操作部１２は相互に結合一体化する。
【００１１】
（工程４）  工程３において結合一体化された状態の防水防塵パッキング６と可動接片操作部１２の可動接片操作部１２を、カバー７の隆起筒部７１の上端部に形成される挿通開口７１１を介して挿通してカバー７の隆起筒部７１内に進入せしめる。これに際して、防水防塵パッキング６の水平封止部６１の長辺、短辺をカバー７の平坦本体部７０の長辺、短辺に整列した状態にして、防水防塵パッキング６をカバー７に重ね合わせる。
（工程５）  上側ボックス２U を下側ボックス２L に嵌合した状態で圧し下げ、相互係合凹部段部に相互結合突起２９を係合せしめてボックス２を構成する。この時、カバー７の立ち上がり部７３は立ち上がり部嵌合溝２２２に嵌合し、圧し付け段部２２１は防水防塵パッキング６の水平封止部６１に係合してこれをカバー７の平坦本体部７０に圧し付け挟持した状態が実現する。
【００１２】
（工程６）  可動接片操作部１２の頭部１２０に操作桿９の係合凹部９１を嵌合し、操作桿９を下向きに押圧しながら図示される状態を実現し、ここで、案内溝８１を操作桿９に整列した状態で操作桿保持枠８を上側ボックス２U に圧し下げ嵌合して組み立て工程を終了する。
トリガスイッチは、以上の防水防塵パッキング６により、ボックス２の上面に形成した開口部を介してボックス２内に水滴或いは塵埃が進入するのを阻止している。
【特許文献１】特開２００１−１９５９５５  公報
【発明の開示】
【発明が解決しようとする課題】
【００１３】
以上のトリガスイッチは、図１２に図示された状態において、駆動部９２を動作させて操作桿９を引き出すと、係合凹部９１が可動接片操作部１２の先端部１２０に係合して反転し、スイッチ３をオフに切り替えることができる。この状態において、逆に、操作桿９を押し込むと、スイッチ３はオンに切り替えられる。ところが、この可動接片操作部１２の頭部１２０は丸棒を切断した端面が水平の先端部に構成されているところから、操作桿９の操作が平滑で急速な摺動が確保されないという憾みがあることが判った。そして、このトリガスイッチの従来例のスイッチの型は、スイッチ３の形状構造、固定接点固定部材および可動接片支持部材の形状、構造、配列の関係上、双極単投型のトリガスイッチとされている。
【００１４】
この発明は、上述した双極単投型のトリガスイッチについて、その可動接片操作部１２の頭部を球状の頭部１２０に構成し、防水防塵パッキング中心部に可動接片操作部１２を圧入した状態とすると共に防水防塵パッキングのスカートをボックス、カバーで狭持し、可動接片部材として、先端部に可動接点を有する１対の可動接片の形状構造を含む可動接片部材全体の形状構造を、両可動接片が駆動される共通面に直交する面に関して面対称に構成した可動接片部材を組み合わせ使用することにより、操作桿の操作が平滑で急速な摺動が実現される上に高い防水防塵性能を発揮する単極双投型のスイッチとしたトリガスイッチを提供するものである。
【課題を解決するための手段】
【００１５】
肉厚開口部２２に圧し付け段部２２１が形成されると共に相互係合凹部２９’を側壁外側下方に形成される上側ボックス２U を具備し、
互いに対向する一方の側壁に立ち下がり係合片係合凹部２０が形成されると共に互いに対向する他方の側壁外側下方に相互結合突起２９を形成し、上側ボックス２U に嵌合固定される下側ボックス２L を具備し、下側ボックス２L の底壁には挿通スリットの対２８および２７を２対形成し、
タブ端子４２およびタブ端子４２から屈曲形成された固定接点固定部４３を有する固定接点固定部材４を２個具備し、
タブ端子５１、タブ端子５１から屈曲形成された可動接片支点本体５２、可動接片支点本体５２からタブ端子５１と同じ向きに屈曲形成された垂下部片５３を有し、可動接片支点本体５２はその一方の端部においてタブ端子５１と逆向きに屈曲すると共に水平方向に延伸して形成された支持部５２１を構成し、支持部５２１の先端部近傍上側に１対の位置決め突起５２２を上向きに突出形成した可動接片支持部材５を具備し、
可動接片１４１の１対を、可動接片部材１４の中心部から一体にその駆動される共通面内において当該共通面に直交する軸を軸としてＵ字状に屈曲して構成し、駆動舌片１４２の１対を、それぞれ、可動接片部材１４の中心部から一体に先の共通面に直交する軸を軸としてＵ字状に折り返し屈曲して構成し、その先端部を接片駆動部材係合孔を形成した係合凹部１４２０とし、可動接片部材１４の中心部には共通面に直交する軸の方向に可動接片部材支持溝１４０を形成した可動接片部材１４を具備し、
頭部１２０と、結合部嵌合孔１２４を有する嵌合部１２３と、嵌合部１２３から延伸して一体に形成された１対の操作部先端１２５とより成る可動接片操作部１２を具備し、
上側ボックス２U の水平方向横断面形状寸法にほぼ匹敵して下側ボックス２L の開口を覆う形状寸法に形成される平坦本体部７０を有し、平坦本体部７０の対向する２辺には立ち下がり係合片７２および立ち上がり部７３が形成されると共にその中心部には可動接片操作部１２を挿通する挿通開口７１１が開口される隆起筒部７１が形成されるカバー７を具備し、
上側ボックス２U の水平方向横断面形状寸法にほぼ匹敵する形状寸法に形成される水平封止部６１と水平封止部６１の中心部から一体に隆起形成された筒状封止部６２とより成り、筒状封止部６２の頂部には中心部が開口６２２して開口周縁が鍔部６２３を形成している有底円筒６２１を有する防水防塵パッキング６を具備し、
一方の対の挿通スリット２８および２７の双方に対して、それぞれ固定接点固定部材４のタブ端子４２を挿通して固定接点固定部材４を下側ボックス２L の底壁に取り付け固定し、
対向する他方の対の挿通スリットの一方２８にタブ端子５１を挿通し、ここで、タブ端子５１と逆向きに屈曲すると共に水平方向に延伸して形成された支持部５２１の先端部を先の両固定接点固定部材４の中間部に位置決めした状態で、可動接片支持部材５を下側ボックス２L の底壁に取り付け固定し、
可動接片部材１４を、可動接片支持部材５の１対の位置決め突起５２２に、可動接片部材支持溝１４０を介して嵌合して位置決め載置し、
防水防塵パッキング６の有底円筒６２１の開口６２２に、可動接片操作部１２の嵌合部１２３を圧入し、結合部嵌合孔１２４に頭部１２０を嵌合結合することにより、防水防塵パッキング６と可動接片操作部１２を相互に結合一体化し、
可動接片操作部１２と相互に結合一体化された防水防塵パッキング６の可動接片操作部１２を、カバー７の挿通開口７１１を介して挿通し、可動接片操作部１２の操作部先端１２５を駆動舌片１４２の先端部に形成した係合凹部１４２０に係合した状態で、カバー７に防水防塵パッキング６を重ね合わせ、
肉厚開口部２２の圧し付け段部２２１とカバー７の平坦本体部７０とにより防水防塵パッキング６の水平封止部６１を挟持し、
可動接片操作部１２の頭部１２０に操作桿９の係合凹部９１を嵌合し、操作桿９を下向きに押圧しながら案内溝８１を操作桿９に整列した状態で、操作桿保持枠８を上側ボックス２U に圧し下げ嵌合したトリガスイッチを構成した。
【発明の効果】
【００１６】
この発明に依れば、操作桿の操作が平滑で急速な摺動が実現される上に高い防水防塵性能を発揮する単極双投型のスイッチとしたトリガスイッチを提供することができる。
【発明を実施するための最良の形態】
【００１７】
発明を実施するための最良の形態を図の実施例を参照して説明する。実施例において、従来例における部材と共通する部材には共通する参照符合を付与している。
実施例においては、先の図９を参照して図示説明した固定接点固定部材４を使用する。上側ボックスとして先の図４を参照して図示説明した上側ボックス２U を使用する。下側ボックスも、先の図５を参照して図示説明した下側ボックス２L を使用する。そして、カバーおよび防水防塵パッキングも、先の図６および図７を参照して図示説明したカバー７および防水防塵パッキング６を使用する。また、可動接片操作部も先の図１１を参照して図示説明した操作部１２ を使用する。
【００１８】
ここで、図２を参照するに、これは可動接片部材の実施例を説明する。図２（ａ）は可動接片部材を上から視たところを示し、図２（ｂ）は可動接片部材の両可動接片が駆動される共通面に直交する面の面方向に視たところを示す図であり、図２（ｃ）は可動接片部材の両可動接片が駆動される共通面の方向に視たところを示す図であり、図２（ｄ）は図２（ｂ）の可動接片部材を両可動接片が駆動される共通面の方向に圧し開いて水平にしたところを示す図である。
図２において、１４は可動接片部材の全体を示す参照符合である。１４１は可動接片であり、両可動接片１４１を屈曲して扁平なＵ字状に構成し、先端部に可動接点１４１０を有している。１４２は駆動舌片であり、駆動舌片それぞれを扁平なＵ字状に折り返し屈曲してその先端部に係合凹部１４２０を形成している。１４０は可動接片が駆動される共通面に直交する面の面方向に形成配列された可動接片部材支持溝である。可動接片部材１４は、結局、１対の可動接片１４０の形状構造を含む可動接片部材全体の形状構造を、両可動接片１４０が駆動される共通面に直交する面に関して面対称に構成された可動接片部材である。この可動接片部材１４は、図２（ｄ）に示される形状状態の素材を図２（ａ）〜（ｃ）に示される形状に塑性変形して構成することができる。
【００１９】
図３は可動接片支持部材を説明する図であり、図３（ａ）は可動接片支持部材を上から視た図、図３（ｂ）は可動接片支持部材を側方から視た図、図３（ｃ）は図３（ｂ）における線ｃ−ｃ’に沿った断面を示す図である。
図３において、５は可動接片支持部材の全体を示す。実施例の可動接片支持部材５も、厚さを厚くして剛性の大なる金属細長片を原材料とし、これに金属加工を施して形成されたタブ端子５１、タブ端子５１から屈曲形成された可動接片支点本体５２、可動接片支点本体５２からタブ端子５１と同じ向きに屈曲形成された垂下部片５３より成る。タブ端子５１にはその中間部の僅か上方の左右両縁に可動接片支持部材カシメ付け片５１１が突出形成されている。可動接片支点本体５２はその一方の端部においてタブ端子５１と逆向きに屈曲すると共に水平方向に延伸して形成された支持部５２１を構成している。支持部５２１の先端部近傍上側に１対の位置決め突起５２２を上向きに突出形成し、可動接片部材１４が載置された暁において可動接片部材支持溝１４０に嵌合せしめる。
【００２０】
図１を参照してトリガスイッチの実施例を説明する。なお、８は操作桿保持枠であり、８１はその上壁下面に形成された案内溝である。９は操作桿であり、９１はその下側に形成された係合凹部である。９２は駆動部であり、操作桿９を駆動する。操作桿９の係合凹部９１を可動接片操作部１２の頭部１２０に嵌合し、操作桿９を下向きに押圧しながら可動接片部材１４を図示される状態にし、ここで、案内溝８１を操作桿９に整列した状態で操作桿保持枠８を上側ボックス２U に圧し下げ嵌合して組み立てる。
【００２１】
（工程１）  下側ボックス２L の底壁に形成される挿通スリット２８および同様に底壁に形成される挿通スリット２７の双方に対して、固定接点固定部材４のタブ端子４２を挿通して固定接点固定部材４を取り付け固定する。そして、可動接片支持部材５を、挿通スリット２７に対向する他の挿通スリット２８にタブ端子５１を挿通して可動接片支持部材５を取り付け固定する。可動接片支持部材５を取り付け固定するに際して、タブ端子５１と逆向きに屈曲すると共に水平方向に延伸して形成された支持部５２１の先端部を、先の両固定接点固定部材４の中間部に位置決めした状態で、可動接片支持部材５を下側ボックス２L の底に取り付け固定する。
【００２２】
（工程２）  可動接片部材１４を、行程１において下側ボックス２L の底に取り付け固定された可動接片支持部材５の１対の位置決め突起５２２に、可動接片部材支持溝１４０を介して嵌合して位置決め載置する。
（工程３）  下側ボックス２L の開口端縁にカバー７を係合固定する。これに際して、下側ボックス２L の立ち下がり係合片係合凹部２０対して、カバー７の平坦本体部７０の対向する２辺に形成される立ち下がり係合片７２を係合する。
（工程４）  防水防塵パッキング６の有底円筒６２１の開口６２２に、可動接片操作部１２の嵌合部１２３を圧入し、結合部嵌合孔１２４に頭部１２０を嵌合結合することにより、防水防塵パッキング６と可動接片操作部１２は相互に結合一体化する。
【００２３】
（工程５）  上側ボックス２U を下側ボックス２L に嵌合した状態で圧し下げ、相互係合凹部段部に相互結合突起２９を係合せしめてボックス２を構成する。この時、カバー７の立ち上がり部７３は立ち上がり部嵌合溝２２２に嵌合し、圧し付け段部２２１は防水防塵パッキング６の水平封止部６１に係合してこれをカバー７の平坦本体部７０に圧し付け挟持した状態が実現する。
（工程６）  工程４において結合一体化された状態の防水防塵パッキング６と可動接片操作部１２を、カバー７の隆起筒部７１の上端部に形成される挿通開口７１１を介して挿通してカバー７の隆起筒部７１内に進入せしめる。この場合、防水防塵パッキング６の水平封止部６１の長辺、短辺をカバー７の平坦本体部７０の長辺、短辺に整列した状態にして、防水防塵パッキング６をカバー７に重ね合わせる。可動接片操作部１２の操作部先端１２５を、駆動舌片１４２の先端部に形成した係合凹部１４２０に係合した状態とする。この係合状態は防水防塵パッキング６のゴム弾性により保持される。
【００２４】
（工程７）  可動接片操作部１２の頭部１２０に操作桿９の係合凹部９１を嵌合し、操作桿９を下向きに押圧しながら図示される状態を実現し、ここで、案内溝８１を操作桿９に整列した状態で操作桿保持枠８を上側ボックス２U に圧し下げ嵌合して組み立て工程を終了する。
図１に示される組み立てられた状態の実施例を参照してその操作を説明する。
図１に図示された状態において、駆動部９２を動作させて操作桿９を引き出すと、係合凹部９１が可動接片操作部１２の頭部１２０に係合して反転し、可動接片部材１４をオフに切り替えることができる。この状態において、逆に、操作桿９を押し込むと、可動接片部材１４をオンに切り替えることができる。
【図面の簡単な説明】
【００２５】
【図１】トリガスイッチの実施例を説明する図。
【図２】可動接片部材を説明する図。
【図３】可動接片支持部材を説明する図
【図４】上側ボックスを説明する図。
【図５】下側ボックスを説明する図。
【図６】カバーを説明する図。
【図７】防水防塵パッキングを説明する図。
【図８】可動接片の従来例を説明する図。
【図９】固定接点固定部材を説明する図。
【図１０】可動接片支持部材の従来例を説明する図。
【図１１】可動接片操作部を説明する図。
【図１２】トリガスイッチの従来例を説明する図。
【符号の説明】
【００２６】
１２  可動接片操作部                  １２０  頭部
１２３  嵌合部                          １２４  結合部嵌合孔
１２５  操作部先端                        １４  可動接片部材
１４０  可動接片部材支持溝              １４１  可動接片
１４２  駆動舌片                      １４２０  係合凹部
２０  立ち下がり係合片係合凹部          ２２  肉厚開口部
２２１  圧し付け段部                      ２７  挿通スリット
２８  挿通スリット                      ２９  相互結合突起
２９’相互係合凹部                      ２L   下側ボックス
２U   上側ボックス           ４  固定接点固定部材
４２  タブ端子                          ４３  固定接点固定部
４４  垂下部片                            ５  可動接片支持部材
５１  タブ端子                          ５２  可動接片支点本体
５２１  支持部                          ５２２  位置決め突起
５３  垂下部片                            ６  防水防塵パッキング
６１  水平封止部                        ６２  筒状封止部
６２１  有底円筒                        ６２２  開口
６２３  鍔部                                ７  カバー
７０  平坦本体部                        ７１  隆起筒部
７１１  挿通開口                          ７２  立ち下がり係合片
７３  立ち上がり部                        ８  操作桿保持枠
８１  案内溝                              ９  操作桿
９１  係合凹部
【図１】
2006277998.tif 000003
【図２】
2006277998.tif 000004
【図３】
2006277998.tif 000005
【図４】
2006277998.tif 000006
【図５】
2006277998.tif 000007
【図６】
2006277998.tif 000008
【図７】
2006277998.tif 000009
【図８】
2006277998.tif 000010
【図９】
2006277998.tif 000011
【図１０】
2006277998.tif 000012
【図１１】
2006277998.tif 000013
【図１２】
2006277998.tif 000014